【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】
本質的に反復単位Ｉ、ＩＩ、ＩＩＩ、ＩＶおよびＶからなる液晶ポリマーであって、
反復単位Ｉは
【化１】
2001220433.tif 000001
であり、
反復単位ＩＩは
【化２】
2001220433.tif 000002
であり、
反復単位ＩＩＩは
【化３】
2001220433.tif 000003
（式中、Ａｒ1は
【化４】
2001220433.tif 000004
ならびにその混合物よりなる群から選択される）であり、
反復単位ＩＶは
−Ｏ−Ａｒ2−Ｘ−                     ＩＶ
（式中、Ａｒ2は
【化５】
2001220433.tif 000005
ならびにその混合物よりなる群から選択され、ＸはＯまたはＮＲ2よりなる群から独立して選択され、Ｒ2は水素およびＣ1〜Ｃ6アルキルよりなる群から独立して選択される）
であり、そして
反復単位Ｖは
【化６】
2001220433.tif 000006
であり、
反復単位Ｉはポリマー中に１５〜６０モル％の量で存在し、反復単位ＩＩはポリマー中に１５〜６０モル％の量で存在し、反復単位ＩＩＩはポリマー中に５〜２０モル％の量で存在し、反復単位ＩＶはポリマー中に５〜２０モル％の量で存在し、反復単位Ｖはポリマー中に７〜１５モル％の量で存在し、その際
（ａ）反復単位ＩおよびＩＩは合わせてポリマー中に５０〜７５モル％の量で存在し、
（ｂ）ポリマーは少なくとも５モル％の次式の反復単位：
【化７】
2001220433.tif 000007
を含有し、かつ
（ｃ）反復単位ＩＩＩの少なくとも一部は
【化８】
2001220433.tif 000008
である、前記液晶ポリマー。
【請求項２】
高延伸性の非晶質異方性溶融物形成性ポリマーである、請求項１に記載のポリマー。
【請求項３】
反復単位ＩＩＩが
【化９】
2001220433.tif 000009
である、請求項１または２に記載のポリマー。
【請求項４】
反復単位ＩＩＩが
【化１０】
2001220433.tif 000010
の混合物を含む、請求項１または２に記載のポリマー。
【請求項５】
反復単位Ｉがポリマー中に３０〜３５モル％の量で存在し、反復単位ＩＩがポリマー中に３０〜３５モル％の量で存在し、反復単位ＩＩＩがポリマー中に１０〜１５モル％の量で存在し、反復単位ＩＶがポリマー中に１０〜１５モル％の量で存在し、反復単位Ｖがポリマー中に１０〜１５モル％の量で存在する、請求項１〜４のいずれか１項に記載のポリマー。
【請求項６】
反復単位ＩＶが
【化１１】
2001220433.tif 000011
である、請求項１〜５のいずれか１項に記載のポリマー。
【請求項７】
本質的に反復単位Ｉ、ＩＩ、ＩＩＩ、ＩＶおよびＶからなる、請求項１に記載の高延伸性の非晶質異方性溶融物形成性ポリマーであって、
反復単位Ｉは
【化１２】
2001220433.tif 000012
であり、
反復単位ＩＩは
【化１３】
2001220433.tif 000013
であり、
反復単位ＩＩＩは
【化１４】
2001220433.tif 000014
であり、
反復単位ＩＶは
−Ｏ−Ａｒ2−Ｏ−
（式中、Ａｒ2は
【化１５】
2001220433.tif 000015
およびその混合物よりなる群から選択される）
であり、そして
反復単位Ｖは
【化１６】
2001220433.tif 000016
であり、
ポリマーは２０〜４０モル％の反復単位Ｉ、２０〜４０モル％の反復単位ＩＩ、１０〜１５モル％の反復単位ＩＩＩ、１０〜１５モル％の反復単位ＩＶ、および１０〜１５モル％の反復単位Ｖを含有し、その際
（ａ）反復単位ＩおよびＩＩは合わせてポリマー中に６０〜７０モル％の量で存在し、かつ
（ｂ）ポリマーは少なくとも５モル％の次式の反復単位：
【化１７】
2001220433.tif 000017
を含有する、前記ポリマー。
【請求項８】
本質的に反復単位Ｉ、ＩＩ、ＩＩＩ、ＩＶおよびＶからなる、請求項１に記載の高延伸性の非晶質異方性溶融物形成性ポリマーであって、
反復単位Ｉは
【化１８】
2001220433.tif 000018
であり、
反復単位ＩＩは
【化１９】
2001220433.tif 000019
であり、
反復単位ＩＩＩは
【化２０】
2001220433.tif 000020
の混合物であり、
反復単位ＩＶは
【化２１】
2001220433.tif 000021
であり、
そして反復単位Ｖは
【化２２】
2001220433.tif 000022
であり、
ポリマーは３０〜３５モル％の反復単位Ｉ、３０〜３５モル％の反復単位ＩＩ、１０〜１５モル％の反復単位ＩＩＩ、１０〜１５モル％の反復単位ＩＶ、および１０〜１５モル％の反復単位Ｖを含有する、前記ポリマー。
【請求項９】
請求項１〜８のいずれか１項に記載のポリマーから製造される造形品。
【請求項１０】
請求項１〜８のいずれか１項に記載のポリマーから製造されるフィルム。
【請求項１１】
請求項１〜８のいずれか１項に記載のポリマーから製造される繊維。
【請求項１２】
熱可塑性の層および請求項１〜８のいずれか１項に記載のポリマーの層を含む、多層積層品。
【請求項１３】
反復単位ＩＩＩが
【化２３】
2001220433.tif 000023
である、請求項１２に記載の積層品。
【請求項１４】
反復単位ＩＩＩが
【化２４】
2001220433.tif 000024
の混合物である、請求項１２に記載の積層品。
【請求項１５】
反復単位Ｉがポリマー中に３０〜３５モル％の量で存在し、反復単位ＩＩがポリマー中に３０〜３５モル％の量で存在し、反復単位ＩＩＩがポリマー中に１０〜１５モル％の量で存在し、反復単位ＩＶがポリマー中に１０〜１５モル％の量で存在し、反復単位Ｖがポリマー中に１０〜１５モル％の量で存在する、請求項１２〜１４のいずれか１項に記載の積層品。
【請求項１６】
さらに接着層を含み、当該接着層がエチレン−無水マレイン酸コポリマー、エチレン−アクリル酸メチルコポリマー、無水マレイン酸とグラフトしたエチレン−アクリル酸メチルコポリマー、エチレン−アクリル酸メチル−マレイン酸ターポリマー、エチレン−メタクリル酸グリシジルコポリマー、エチレン−アクリル酸メチル−メタクリル酸グリシジルターポリマー、エチレン−メタクリル酸メチル−アクリル酸ターポリマー、エチレン−酢酸ビニルコポリマー、アルコキシシラン改質エチレン−アクリル酸エチルコポリマー、エチレン−アクリル酸コポリマー、無水マレイン酸とグラフトしたポリプロピレンと二量体ベースのポリアミドポリエステルとのブレンド、ポリウレタン、ポリエーテルポリウレタン、ポリエステルエラストマー、ならびにポリエーテルエラストマーよりなる群から選択される材料で作成された、請求項１２〜１５のいずれか１項に記載の積層品。
【請求項１７】
熱可塑性樹脂がポリエチレン、ポリプロピレン、エチレン酢酸ビニル、ナイロンおよびポリアルキレンテレフタラートよりなる群から選択される、請求項１２〜１６のいずれか１項に記載の積層品。
【請求項１８】
積層品が約１２０〜約１６０℃の温度で延伸された、請求項１２〜１７のいずれか１項に記載の積層品。
【請求項１９】
請求項１〜８のいずれか１項に記載のポリマーから製造される複合繊維。
【請求項２０】
繊維がコア−シース繊維構造、並列繊維構造、ティップト繊維構造、マイクロデニール構造および混合繊維構造よりなる群から選択される構造をもつ、請求項１９に記載の複合繊維。
【請求項２１】
成分の１つがナイロン、低密度または高密度ポリエチレン、ポリプロピレンおよびポリエチレンテレフタラートよりなる群から選択される、請求項２０に記載の複合繊維。
【請求項２２】
繊維が延伸された、請求項２１に記載の複合繊維。
【請求項２３】
高延伸性の非晶質異方性溶融物形成性ポリマーの製造方法であって、
次式の反復単位Ｖ：
【化２５】
2001220433.tif 000025
を、反復単位Ｉ、ＩＩ、ＩＩＩおよびＩＶを含むポリマーに配合し、その際
反復単位Ｉは
【化２６】
2001220433.tif 000026
であり、
反復単位ＩＩは
【化２７】
2001220433.tif 000027
であり、
反復単位ＩＩＩは
【化２８】
2001220433.tif 000028
（式中、Ａｒ1は
【化２９】
2001220433.tif 000029
ならびにその混合物よりなる群から選択される）
であり、そして
反復単位ＩＶは
−Ｏ−Ａｒ2−Ｘ−         ＩＶ
（式中、Ａｒ2は
【化３０】
2001220433.tif 000030
ならびにその混合物よりなる群から選択され、ＸはＯまたはＮＲ2よりなる群から独立して選択され、Ｒ2は水素およびＣ1〜Ｃ10アルキルよりなる群から独立して選択される）
であり、
これにより、本質的に１５〜６０モル％の反復単位Ｉ、１５〜６０モル％の反復単位ＩＩ、５〜２０モル％の反復単位ＩＩＩ、５〜２０モル％の反復単位ＩＶ、および７〜１５モル％の反復単位Ｖを含有するポリマーを製造し、その際
（ａ）反復単位ＩおよびＩＩは合わせてポリマー中に約５０〜約７５モル％の量で存在し、
（ｂ）ポリマーは少なくとも約５モル％の次式の反復単位：
【化３１】
2001220433.tif 000031
を含有し、かつ
（ｃ）反復単位ＩＩＩの少なくとも一部は
【化３２】
2001220433.tif 000032
であることを含む、前記方法。